(57)【要約】【課題】ブラケットなどの締付部材の組み付け性を向上させると共に、バッテリポストとバッテリ端子との接続信頼性を確保する。【解決手段】バッテリポストＰに接続固定されるバッテリ端子１０であって、一対の対向板２１と、一対の対向板２１の前端縁同士を上下に連結する一対の連結板４０とを有する端子本体２０と、バッテリポストＰが内部に嵌合されるポスト嵌合部２７と、ポスト嵌合部２７の前端部に幅方向に変位可能に設けられた一対の被押圧部２８と、倍力機構６０によって一対の被押圧部２８と共に挟み込まれることで、一対の被押圧部２８を互いに近づく方向に押圧してバッテリポストＰにポスト嵌合部２７を接続固定させるブラケット５０と、ブラケット５０において一対の連結板４０に近接して設けられ、連結板４０の後面４０Ａに当接もしくは面接触可能な一対の姿勢保持部５５とを備えるところに特徴を有する。【選択図】図４
2015230833.tif 000002
【特許請求の範囲】
【請求項１】
バッテリのバッテリポストに接続固定されるバッテリ端子であって、
対向して配される前後に長く幅狭な一対の対向板と、前記一対の対向板の一方の端縁同士を前記一対の対向板が対向する直交方向に連結する平板状の連結板とを有する端子本体と、
前記一対の対向板において前記連結板側の端部が幅方向に分断して設けられ、前記バッテリポストが内部に嵌合されるポスト嵌合部と、
前記一対の対向板において前記ポスト嵌合部の前記連結板側の端部に隙間を隔てて幅方向に対向して設けられ、幅方向に変位可能な一対の被押圧部と、
前記一対の被押圧部に組み付けられ、倍力機構によって押圧されることで、一対の前記被押圧部を互いに近づく方向に押圧して前記バッテリポストに前記ポスト嵌合部を接続固定させる締付部材と、
前記締付部材において前記連結板の板面に近接して設けられ、前記連結板に当接もしくは面接触することで前記締付部材が前後方向に傾いた不正な姿勢になることを抑制する姿勢保持部とを備えるバッテリ端子。
【請求項２】
前記締付部材は、前記端子本体に前記直交方向から組み付けられるようになっており、
前記姿勢保持部は、前記直交方向に延びて形成されている請求項１に記載のバッテリ端子。
【請求項３】
前記姿勢保持部は、前記締付部材の幅方向両端部に一対設けられている請求項１または請求項２に記載のバッテリ端子。
【請求項４】
前記端子本体は、前記連結板と前記被押圧部とを含んで形成され、前記締付部材を前記端子本体に組み付ける際に前記姿勢保持部と前記直交方向に嵌合し、前記姿勢保持部を前記連結板に近接した位置に案内するガイド凹部を有している請求項１から請求項３の何れか一項に記載のバッテリ端子。
【請求項５】
前記倍力機構は、被締結部材と前記被締結部材に螺合させる締結部材とを有し、前記被締結部材と前記締結部材との何れか一方を前記締付部材に組み付けて、前記被締結部材に前記締結部材を螺合させて前記一対の被押圧部と前記締付部材とを挟持することで前記締付部材を押圧するようになっており、
前記被締結部材は、前記一対の対向板と前記連結板とに囲まれて配され、前記連結板の板面に当接することで回り止めされる請求項１から請求項４の何れか一項に記載のバッテリ端子。
【請求項６】
前記締結部材は、前記締付部材を貫通したボルト挿通孔に挿通される締結ボルトであり、前記被締結部材は、前記締結ボルトを螺合させる締結ナットであって、
前記締結ナットは、前記連結板に当接可能な４つの側面を有する四角ナットである請求項５に記載のバッテリ端子。
【発明の詳細な説明】
【技術分野】
【０００１】
本明細書によって開示される技術は、バッテリ端子に関する。
【背景技術】
【０００２】
例えば、車両などに搭載されるバッテリのバッテリポストに接続固定されるバッテリ端子として、特開２００４−１８６０９５号公報（下記特許文献１）が知られている。このバッテリ端子は、金属板材を２枚重ねに折り曲げて形成したターミナル本体と、ターミナル本体を両側から締め付けるブラケットと、ブラケットをターミナル本体に締め付けるためのボルトおよびナットとを備えて構成されている。
【０００３】
ターミナル本体には、バッテリポストを挿入するバッテリポスト挿入孔が形成されており、バッテリポスト挿入孔の前方におけるターミナル本体の前端部は締め付け間隙を境に左右に分断された左右一対の連結部とされている。ブラケットは、締め付け間隙に挿通されたボルトが挿通されるボルト挿通孔を有する平板状の基部を有しており、基部の両側縁には、先端に向かうほど互いの間隔が次第に広がる一対のテーパ部が形成されている。
【０００４】
このバッテリ端子は、ターミナル本体の連結部における両側縁にテーパ部が当接するようにブラケットをターミナル本体の上方に組み付け、締め付け間隙とブラケットのボルト挿通孔とにボルトを挿通させてナットを螺合させると、ブラケットのテーパ部が一対の連結部を両側から押圧し、ターミナル本体のバッテリポスト挿入孔が縮径する。これにより、バッテリポストに対してターミナル本体が接続固定されるようになっている。
【先行技術文献】
【特許文献】
【０００５】
【特許文献１】特開２００４−１８６０９５号公報
【発明の概要】
【発明が解決しようとする課題】
【０００６】
ところで、上記の構成によると、ボルトとナットとを締め付けるまでは、ブラケットは、一対の連結部上に配置されただけである。また、締め付け間隙におけるボルトと一対の連結部との間には、バッテリポスト挿入孔を縮径させるために比較的大きなクリアランスが形成されている。このため、ブラケットを連結部の上方に配する際に、締め付け間隙内においてボルトが前後に傾いてターミナル本体に対してブラケットが前後に傾いたり、ターミナル本体に対してブラケットを締め付ける際に連結部に対するブラケットの前後の傾きが大きくなったりすることで、バッテリポスト挿入孔を正規の状態に縮径させることができず、バッテリポストとバッテリ端子との接続信頼性が低下する虞がある。
【０００７】
本明細書では、ブラケットなどの締付部材の組み付け性を向上させると共に、バッテリポストとバッテリ端子との接続信頼性を確保する技術を開示する。
【課題を解決するための手段】
【０００８】
本明細書によって開示される技術は、バッテリのバッテリポストに接続固定されるバッテリ端子であって、対向して配される前後に長く幅狭な一対の対向板と、前記一対の対向板の一方の端縁同士を前記一対の対向板が対向する直交方向に連結する平板状の連結板とを有する端子本体と、前記一対の対向板において前記連結板側の端部が幅方向に分断して設けられ、前記バッテリポストが内部に嵌合されるポスト嵌合部と、前記一対の対向板において前記ポスト嵌合部の前記連結板側の端部に隙間を隔てて幅方向に対向して設けられ、幅方向に変位可能な一対の被押圧部と、前記一対の被押圧部に組み付けられ、倍力機構によって押圧されることで、一対の前記被押圧部を互いに近づく方向に押圧して、前記バッテリポストに前記ポスト嵌合部を接続固定させる締付部材と、前記締付部材において前記連結板の板面に近接して設けられ、前記連結板に当接もしくは面接触することで前記締付部材が前後方向に傾いた不正な姿勢になることを抑制する姿勢保持部とを備えるところに特徴を有する。
【０００９】
このような構成のバッテリ端子によると、端子本体に締付部材を組み付ける際に、連結板の板面に姿勢保持部が当接することで一対の被押圧部に対して締付部材が前後に傾くことを抑制できるから、締付部材の組み付け性を向上させることができる。
また、倍力機構によって締付部材が一対の被押圧部に対して押圧される際に、連結板の板面に姿勢保持部が当接することで、一対の被押圧部に対して締付部材が前後に傾くことを抑制できるから、バッテリポストに対してポスト嵌合部を正規の状態に接続固定でき、バッテリポストとポスト嵌合部との接続信頼性を確保できる。
また、締付部材が一対の被押圧部に対して前後に傾いた不正な姿勢で被押圧部を押圧する場合には、倍力機構によって締付部材を押圧操作する力が高くなってしまう嫌いがある。ところが、上記の構成によると、一対の被押圧部に対して締付部材が前後に傾くことを抑制できるから、倍力機構によって締付部材を押圧操作する力が高くなることを抑制することができる。
【００１０】
本明細書によって開示される技術の態様として、以下の構成が好ましい。
前記締付部材は、前記端子本体に前記直交方向から組み付けられるようになっており、前記姿勢保持部は、前記直交方向に延びて形成されている構成としてもよい。
このような構成によると、姿勢保持部を前記連結板の板面に近接して沿わせつつ、締付部材を端子本体に組み付けることができるから、締付部材が前後に傾くことを組み付けの初期段階から抑制でき、締付部材の組み付け性をさらに向上させることができる。
【００１１】
前記姿勢保持部は、前記締付部材の幅方向両端部に一対設けられている構成としてもよい。
このような構成によると、締付部材の幅方向両端部において連結板に姿勢保持部を当接させて締付部材が前後に傾くことを抑制できるから、締付部材の一側端部にのみ姿勢保持部が設けられている場合に比べて、締付部材の前後傾きをさらに抑制することができる。
【００１２】
前記端子本体は、前記連結板と前記被押圧部とを含んで形成され、前記締付部材を前記端子本体に組み付ける際に前記姿勢保持部と前記直交方向に嵌合し、前記姿勢保持部を前記連結板に近接した位置に案内するガイド凹部を有している構成としてもよい。
このような構成によると、ガイド凹部に姿勢保持部を嵌合させるだけで、連結板に対して姿勢保持部を容易に近接して配置することができる。
【００１３】
前記倍力機構は、被締結部材と前記被締結部材に螺合させる締結部材とを有し、前記被締結部材と前記締結部材との何れか一方を前記締付部材に組み付けて、前記被締結部材に前記締結部材を螺合させて前記一対の被押圧部と前記締付部材とを挟持することで前記締付部材を押圧するようになっており、前記被締結部材は、前記一対の対向板と前記連結板とに囲まれて配され、前記連結板の板面に当接することで回り止めされる構成としてもよい。
このような構成によると、締付部材が前後に傾くことが抑制され、締付部材に組み付けられた被締結部材および締結部材も前後に傾くことが抑制されるから、被締結部材を連結板に当接させて回り止めすることで被締結部材に締結部材を螺合させる場合に、特に有効である。
【００１４】
前記締結部材は、前記締付部材を貫通したボルト挿通孔に挿通される締結ボルトであり、前記被締結部材は、前記締結ボルトを螺合させる締結ナットであって、前記締結ナットは、前記連結板に当接可能な４つの側面を有する四角ナットである構成としてもよい。
このような構成によると、六角ナットなどに比べて、連結板の板面に当接される側面の面積を大きくできるから、締結ナットの回り止めに有利である。
【発明の効果】
【００１５】
本明細書によって開示される技術によれば、締付部材の組み付け性を向上させると共に、バッテリポストとバッテリ端子との接続信頼性を確保することができる。
【図面の簡単な説明】
【００１６】
【図１】バッテリ端子の斜視図
【図２】同正面図
【図３】同平面図
【図４】同側面図
【図５】同底面図
【図６】図３のＡ−Ａ線断面図
【図７】ブラケットによって一対の被押圧部が中央に押圧された状態であって、図３のＡ−Ａ線の断面に相当する断面図
【図８】ガイド凹部内に姿勢保持部が嵌合した状態を示す一部切欠平断面図
【図９】ガイド凹部内に姿勢保持部が配され、一対の被押圧部が中央に変位した状態を示す一部切欠平断面図
【図１０】端子本体の斜視図
【図１１】同側面図
【図１２】ブラケットの斜視図
【図１３】同正面図
【図１４】同平面図
【図１５】同側面図
【図１６】同底面図
【発明を実施するための形態】
【００１７】
＜実施形態＞
実施形態について図１から図１６を参照しつつ説明する。
本実施形態は、図１に示すように、車両に搭載されるバッテリに、上下方向に延びた形態で設けられた略円柱状のバッテリポストＰに接続固定されるバッテリ端子１０を例示している。
バッテリ端子１０は、図１および図４に示すように、金属板材を二つに折り曲げて形成された端子本体２０と、端子本体２０に上方から組み付けられる金属製のブラケット（「締付部材」の一例）５０と、端子本体２０に対してブラケット５０を押しつける倍力機構６０とを備えて構成されている。
【００１８】
端子本体２０は、図３、図８および図１１に示すように、幅狭で前後に長い形態とされており、上下に対向して配される前後に長い一対の対向板２１と、一対の対向板２１の前端縁同士を一対の対向板２１が対向する上下方向（対向板２１と直交する方向）に連結する連結部２２とを有している。
【００１９】
一対の対向板２１のうち、上側に配される上側対向板２１Ｕは、前後方向略中央部よりもやや後方寄りの位置において側面視クランク状に形成された屈曲部２３を有しており、上側対向板２１Ｕにおいて屈曲部２３よりも後側部分は、前側部分よりも一段下がった形態の上側端子接続部２４とされている。一対の対向板２１のうち、下側に配される下側対向板２１Ｌは、その後端部が僅かに一段下がった形態とされており、下側対向板２１Ｌにおいて一段下がった部分は、図１および図４に示すように、上側端子接続部２４と共にスタッドボルトＳＢを保持する下側端子接続部２５とされている。
【００２０】
上側端子接続部２４には、上下に貫通する貫通孔２４Ａが設けられており、この貫通孔２４ＡにスタッドボルトＳＢの軸部ＳＢ１を挿通させ、上側端子接続部２４と下側端子接続部２５とによりスタッドボルトＳＢの図示しない頭部を上下から挟み込むことでスタッドボルトＳＢを保持している。なお、電線の端末に接続された図示しない電線側端子にスタッドボルトＳＢの軸部ＳＢ１を挿通し、図示しないナットを締め込むことにより、電線側端子が上側端子接続部２４に電気的に接続されるようになっている。
【００２１】
また、上側端子接続部２４の幅方向両側縁には、図４および図５に示すように、一対の固定片２６が設けられており、これらの固定片２６が下側端子接続部２５の両側縁に設けられた一対の係止孔２５Ａにそれぞれ挿入されて下側端子接続部２５と係止することで、一対の対向板２１が上下に開かないように開き止めされている。
【００２２】
屈曲部２３よりも前側に配された上側対向板２１Ｕは、図４および図１１に示すように、下側対向板２１Ｌとの間隔が上側端子接続部２４と下側端子接続部２５との間隔よりも大きくなるように上側端子接続部２４よりも上方に配されている。
また、屈曲部２３の前方における上側対向板２１Ｕおよび下側対向板２１Ｌは、図３から図５、図８から図１１に示すように、後部がバッテリポストＰに接続固定されるポスト嵌合部２７とされ、前部が幅方向に隙間Ｓを隔てて対向する一対の被押圧部２８とされている。
【００２３】
上下に配されたいずれのポスト嵌合部２７も板厚方向に貫通する略円形の嵌合孔２９を有しており、これらの嵌合孔２９には、バッテリポストＰが下方から連続して嵌合されるようになっている。ポスト嵌合部２７の前端部は、幅方向に２つに分断され、かつ隙間Ｓを隔てて幅方向に対向した形態とされており、これに伴って嵌合孔２９の前端部分も幅方向に分断された形態とされている。
各ポスト嵌合部２７における嵌合孔２９の周縁部には、図１０および図１１に示すように、バッテリポストＰの外周面に沿って配される略環状の接続筒部２７Ａが上方に立ち上がり形成されており、この接続筒部２７Ａの内径寸法は、バッテリポストＰの外径寸法よりも僅かに大きく設定されている。
【００２４】
一対の被押圧部２８は、図８から図１０に示すように、幅方向に分断されたポスト嵌合部２７の前端部にそれぞれ連設されることで、ポスト嵌合部２７間から続く隙間Ｓを隔てて幅方向に対向する形態とされており、一対の被押圧部２８は、隙間Ｓを狭くするように互いに近づく方向に弾性変位可能とされている。ポスト嵌合部２７のうち、上側に配された上側ポスト嵌合部２７Ｕに連設された一対の上側被押圧部２８Ｕは、上側ポスト嵌合部２７Ｕの前端縁と連結部２２の上端部とを前後に繋ぐ平板状の一対の上側平板部３０を有している。
一対の上側平板部３０における互いに近い側の端縁である内側縁３０Ａには、幅方向に円弧状に凹んだ上側逃がし凹部３１がそれぞれ形成されており、これらの上側逃がし凹部３１は、互いに向かい合って配されている。幅方向に互いに向かい合う両上側逃がし凹部３１によって囲まれた上側領域Ａ１には、後述する倍力機構６０の締結ボルト６１がクリアランスを有した状態で挿通可能とされている。
【００２５】
一対の上側平板部３０における互いに遠い側の端縁である外側縁３０Ｂには、一対の上側受部３２が設けられている。一対の上側受部３２は、上側平板部３０から互いに離れる方向に略半円筒状に張り出しつつ下方に向けて延出され、その下端部から真っ直ぐ下方に延出された形態をなしている。
【００２６】
ポスト嵌合部２７のうち、下側に配された下側ポスト嵌合部２７Ｌに連設された一対の下側被押圧部２８Ｌは、図５に示すように、下側ポスト嵌合部２７Ｌの前端縁と連結部２２の下端部とを前後に繋ぐ平板状の一対の下側平板部３３を有している。一対の下側平板部３３における内側縁３３Ａには、幅方向に略矩形状に凹んだ下側逃がし凹部３４がそれぞれ形成されており、これらの下側逃がし凹部３４は、互いに向かい合って配されている。幅方向に互いに向かい合う両下側逃がし凹部３４によって囲まれた下側領域Ａ２には、上側逃がし凹部３１と同様に、倍力機構６０の締結ボルト６１がクリアランスを有した状態で挿通可能とされている。
【００２７】
一対の下側平板部３３における外側縁３３Ｂには、一対の下側受部３５が設けられている。各下側受部３５は、図６および図７に示すように、下側平板部３３から上方に立ち上がった形態をなしており、下側受部３５は、下側受部３５の幅方向の外面３５Ａが上側受部３２の下端部における幅方向の内面３２Ａと面接触するように上側受部３２の内側に配されている。したがって、一対の上側被押圧部２８Ｕが内側に向けて互いに近づく方向に変位すると、図９に示すように、一対の下側被押圧部２８Ｌにおける下側受部３５が上側受部３２によって外側から内側に向けて押圧され、一対の下側被押圧部２８Ｌも一対の上側被押圧部２８Ｕと共に内側に向けて互いに近づく方向に変位するようになっている。
【００２８】
連結部２２は、図２、図４、図８から図１１に示すように、幅方向に横並びとなる略矩形平板状をなす一対の連結板４０を有している。各連結板４０は、上側被押圧部２８Ｕにおける上側平板部３０の前端縁と下側被押圧部２８Ｌにおける下側平板部３３の前端縁とを上下方向に繋ぐ形態とされている。また、一対の連結板４０は、上側平板部３０および下側平板部３３よりも幅方向外側に突出した形態とされ、各連結板４０の前後両面は平坦な形態とされている。
【００２９】
ブラケット５０は、図１から図７に示すように、一対の上側被押圧部２８Ｕに対して上方から組み付けられ、一対の上側被押圧部２８Ｕと共に倍力機構６０によって上下から挟み込まれることで、一対の上側被押圧部２８Ｕを内側に向けて互いに近づく方向に押圧するものであって、端子本体２０を構成する金属板材の板厚寸法の約４倍の板厚寸法の金属板材をプレス加工などすることにより形成されている。
【００３０】
ブラケット５０は、図１２から図１６に示すように、幅方向に横長な略矩形板状の基部５１と、基部５１の後部における幅方向両側縁に設けられた一対の押圧部５２とを備えて構成されている。
基部５１には、板厚方向に貫通するボルト挿通孔５１Ａが設けられており、基部５１は、ボルト挿通孔５１Ａが上側領域Ａ１および下側領域Ａ２と上下方向に並ぶように一対の上側被押圧部２８Ｕの上方に配されている。
【００３１】
一対の押圧部５２は、基部５１から下方に向かうほど互いに離れるように斜め下方向に向けて延出されており、図６に示すように、各押圧部５２は上側被押圧部２８Ｕにおける上側受部３２の略半円筒状の部分に斜め上から接触して配されている。したがって、一対の押圧部５２は、幅方向両側の斜め上方から一対の上側受部３２の上端を包囲するように、一対の上側受部３２上に配置されている。
【００３２】
倍力機構６０は、図６および図７に示すように、ブラケット５０と一対の上側被押圧部２８Ｕとを上下両側から挟み込む締結ボルト（「締結部材」の一例）６１および締結ナット（「被締結部材」の一例）６５とを備えて構成されている。
締結ボルト６１は、頭部６２と、頭部６２から延びる軸部６３とを有する一般的な形状とされている。締結ボルト６１は、頭部６２がブラケット５０の基部５１上に配され、軸部６３が基部５１のボルト挿通孔５１Ａと上側逃がし凹部３１によって囲まれた上側領域Ａ１とに上方から挿通されることで、ブラケット５０に組み付けられている。
【００３３】
締結ナット６５は、締結孔６６を有する扁平なブロック状をなす四角ナットである。締結ナット６５は、図４に示すように、連結部２２の一対の連結板４０と一対の上側平板部３０および一対の下側平板部３３とによって、前および上下の３方向から囲まれ、かつ、締結孔６６が上側領域Ａ１および下側領域Ａ２と上下に並ぶように配置されており、ブラケット５０に組み付けられた締結ボルト６１における軸部６３の先端が僅かに螺合した状態となっている。また、締結孔６６が上側領域Ａ１および下側領域Ａ２と上下に並ぶように配置されると、締結ナット６５の４つの側面うちの前側面６５Ａが一対の連結板４０の後面４０Ａと当接可能に配されるようになっている。
【００３４】
ブラケット５０に組み付けられた締結ボルト６１の軸部６３を締結孔６６に挿入して締結ボルト６１を締結ナット６５に螺合させて締め付け、締結ボルト６１および締結ナット６５によってブラケット５０の基部５１と一対の上側被押圧部２８Ｕとを上下両側から挟み込むと、図７に示すように、一対の上側受部３２が一対の押圧部５２によって幅方向両側から押圧され、上側受部３２と押圧部５２とが摺動することで一対の上側被押圧部２８Ｕと一対の下側被押圧部２８Ｌとが内側に向けて互いに近づく方向に変位する。これに伴い、ポスト嵌合部２７の前端部も内側に向けて互いに近づく方向に変位してポスト嵌合部２７の嵌合孔２９が縮径して各ポスト嵌合部２７の接続筒部２７ＡがバッテリポストＰの外周面に密着し、端子本体２０がバッテリポストＰに接続固定されるようになっている。
【００３５】
さて、ブラケット５０の基部５１には、図１、図３から図５に示すように、一対の上側被押圧部２８Ｕに対してブラケット５０を上方から組み付ける際に、端子本体２０に設けられた一対のガイド凹部３６内に上方から嵌合され、ガイド凹部３６の内面に当接もしくは面接触することで、ブラケット５０が前後方向に傾いた不正な姿勢になることを抑制する一対の姿勢保持部５５が設けられている。
【００３６】
一対の姿勢保持部５５は、図１２から図１６に示すように、基部５１の前端部における幅方向両端部にそれぞれ設けられており、各姿勢保持部５５は、前後および幅方向両側に平坦な側面を有する断面正方形状の四角柱とされている。また、各姿勢保持部５５は、基部５１から下方に真っ直ぐ延出されており、姿勢保持部５５の下端部は、押圧部５２の下端部よりも下方に位置している。
【００３７】
一対のガイド凹部３６は、図８に示すように、一対の上側被押圧部２８Ｕにおける上側受部３２および上側平板部３０と、連結部２２における一対の連結板４０とによって形成されており、上側受部３２の前端面と、上側平板部３０の外側縁３０Ｂと、連結板４０の後面４０Ａとによって囲まれた空間に姿勢保持部５５が収容されるようになっている。上側受部３２の前端面３２Ｂと連結板４０の後面４０Ａとの間の距離は、図３から図５に示すように、姿勢保持部５５の前後方向の長さ寸法よりも僅かに大きく設定されており、連結板４０の後面４０Ａに姿勢保持部５５の前側面５５Ａを沿わせると共に、上側受部３２の前端面３２Ｂに姿勢保持部５５の後側面５５Ｂを沿わせるようにして姿勢保持部５５をガイド凹部３６内に上方から嵌合させることで、姿勢保持部５５がガイド凹部３６内において前後に大きく傾くことなく嵌合されるようになっている。
【００３８】
また、姿勢保持部５５がガイド凹部３６内に嵌合されると、ガイド凹部３６の前側内面を構成する一対の連結板４０における後面４０Ａに近接して配されると共に、ガイド凹部３６の後側内面を構成する上側受部３２の前端面３２Ｂに近接して配される。したがって、姿勢保持部５５をガイド凹部３６に嵌合させるだけで、連結板４０もしくは上側受部３２と姿勢保持部５５とを容易に近接して配置することができるようになっている。そして、姿勢保持部５５の前側面５５Ａと連結板４０の後面４０Ａ、もしくは、姿勢保持部５５の後側面５５Ｂと上側受部３２の前端面３２Ｂとが当接もしくは面接触することで、ブラケット５０が前後方向に傾いた不正な姿勢になることを抑制することができるようになっている。
【００３９】
つまり、一対のガイド凹部３６内に一対の姿勢保持部５５を嵌合させつつ、一対の上側被押圧部２８Ｕに対してブラケット５０を上方から組み付けると、締結ボルト６１の軸部６３が上側逃がし凹部３１によって囲まれた上側領域Ａ１に上方から挿通された状態となり、図４に示すように、締結ナット６５の前側面６５Ａが一対の連結板４０の後面４０Ａと面接触した状態に配される。これにより、締結ナット６５に対して締結ボルト６１を螺合させる際に、締結ナット６５が回転してしまうことを防ぐことができるようになっている。
【００４０】
本実施形態は、以上のような構成であって、続いて、バッテリ端子１０の作用および効果について説明する。
まず、バッテリ端子１０を構成する手順について説明する。
端子本体２０における連結部２２の一対の連結板４０と一対の上側平板部３０および一対の下側平板部３３との間に、締結孔６６が上側領域Ａ１および下側領域Ａ２と上下に並ぶように締結ナット６５を配置し、基部５１のボルト挿通孔５１Ａに挿通された締結ボルト６１と共にブラケット５０を端子本体２０の上方から組み付ける。
【００４１】
この組み付け過程では、まず、端子本体２０の一対のガイド凹部３６に対してブラケット５０の一対の姿勢保持部５５の嵌合が開始される。ここで、姿勢保持部５５の前側面５５Ａとガイド凹部３６の前側内面を構成する連結板４０の後面４０Ａ、もしくは、姿勢保持部５５の後側面５５Ｂとガイド凹部３６の後側内面を構成する上側受部３２の前端面３２Ｂとが当接もしくは面接触しつつ、姿勢保持部５５がガイド凹部３６内に案内されて嵌合され、端子本体２０の一対の被押圧部２８に対してブラケット５０が正規の姿勢で上方から組み付けられる。
つまり、ブラケット５０を端子本体２０に組み付ける初期段階から組み付けが完了するまでの間、ブラケット５０が前後方向に傾いた不正な姿勢になることを抑制し、端子本体２０に対してブラケット５０を正規の姿勢で組み付けることができるようになっている。
【００４２】
ブラケット５０が正規の姿勢で端子本体２０に組み付けられると、ブラケット５０に予め組み付けられた締結ボルト６１の軸部６３が上側逃がし凹部３１によって囲まれた上側領域Ａ１に上方から挿通される。そして、端子本体２０に予め組み付けられた締結ナット６５に対して軸部６３の先端を螺合させて、倍力機構６０を構成することでバッテリ端子１０を完成させることができる。
【００４３】
次に、上記のように構成されたバッテリ端子１０を、バッテリのバッテリポストＰに取り付ける手順について説明する。
まず、端子本体２０の各ポスト嵌合部２７における嵌合孔２９に、バッテリポストＰを挿通させる。ここで、締結ナット６５に対して締結ボルト６１が締め付けてない状態では、図６に示すように、ブラケット５０の一対の押圧部５２が一対の上側被押圧部２８Ｕを押圧することなく、一対の上側被押圧部２８Ｕの上側受部３２に対して上方から接触しただけの状態となっている。
【００４４】
ここで、例えば、ブラケットに姿勢保持部が設けられていないと、上側逃がし凹部によって囲まれた上側領域内に配された締結ボルトの周りにはクリアランスが形成されているため、締結ボルトやブラケットに他の部材などが接触すると、端子本体に対してブラケットが前後に傾く虞がある。
ところが、本実施形態によると、仮に締結ボルト６１やブラケット５０に他の部材などが接触したとしても、姿勢保持部５５の前側面５５Ａとガイド凹部３６における連結板４０の後面４０Ａ、もしくは、姿勢保持部５５の後側面５５Ｂとガイド凹部３６における上側受部３２の前端面３２Ｂとが当接もしくは面接触することで、ブラケット５０が前後に傾くことを抑制することができ、ブラケット５０を正規の姿勢に保持しておくことができる。
【００４５】
次に、締結ボルト６１を締結ナット６５に螺合させ、締結ナット６５の前側面６５Ａを連結部２２における一対の連結板４０の後面４０Ａに当接させながら締結ボルト６１を締め込んでいく。ここで、仮にブラケット５０と締結ボルト６１とが前後に傾いた不正な姿勢の状態のまま、締結ボルト６１を締め込もうとすると、締結ボルト６１の先端に組み付けられた締結ナット６５が連結板４０から後方に離れてしまい回転してしまう虞がある。
ところが、本実施形態によると、ブラケット５０が正規の姿勢に保持されており、締結ナット６５の前側面６５Ａが連結板４０の後面４０Ａに接触しているから、締結ボルト６１の回転に伴って締結ナット６５が回転してしまうことを抑制することができる。また、本実施形態の締結ナット６５は、六角ナットなどに比べて、連結板４０の後面４０Ａに当接する前側面６５Ａの面積が大きくなっているから、締結ナット６５の回り止めをより確実に行うことができる。
【００４６】
そして、このままさらに締結ナット６５に対する締結ボルト６１の締め込みが進むと、図９に示すように、締結ナット６５が上方に引き寄せられ、一対の上側被押圧部２８Ｕの上側平板部３０とブラケット５０の基部５１とが締結ボルト６１の頭部６２と締結ナット６５とにより上下から挟み込まれる。すると、ブラケット５０の一対の押圧部５２によって一対の上側被押圧部２８Ｕにおける上側受部３２が幅方向両側から押圧されて、押圧部５２と上側受部３２とが摺動しつつ、一対の上側受部３２が内側に向けて互いに近づく方向に変位する。また、一対の下側被押圧部２８Ｌにおける下側受部３５も上側受部３２によって外側から押圧されることで内側に向けて互いに近づく方向に変位する。
これにより、各ポスト嵌合部２７の嵌合孔２９が縮径して、バッテリポストＰの外周面にポスト嵌合部２７の接続筒部２７Ａが密着し、端子本体２０がバッテリポストＰに接続固定される。
【００４７】
ここで、仮に、端子本体２０の一対の被押圧部２８に対してブラケット５０を押圧する際に、被押圧部２８に対するブラケット５０の前後の傾きが大きくなると、ポスト嵌合部２７の嵌合孔２９を正規の状態に縮径することができなかったり、締結ナット６５に対して締結ボルト６１を締め付ける締付操作の力が高くなったりする嫌いがある。ところが、本実施形態によると、姿勢保持部５５とガイド凹部３６とが前後に当接することで、ブラケット５０が正規の姿勢に保持されているから、締結ボルト６１の締付操作の力を高くすることなく、嵌合孔２９を正規の状態に縮径させることができる。これにより、ポスト嵌合部２７がバッテリポストＰに対してしっかりと固定され、バッテリ端子１０とバッテリポストＰとの接続信頼性を確保できる。
【００４８】
以上のように、本実施形態では、端子本体２０に設けられた一対のガイド凹部３６における前側内面（連結板４０の後面４０Ａ）もしくは後側内面（上側受部３２の前端面３２Ｂ）にブラケット５０に設けられた一対の姿勢保持部５５を当接または面接触させることで、端子本体２０の一対の被押圧部２８に対してブラケット５０が前後に傾くことを抑制することができる。つまり、端子本体２０に対してブラケット５０を組み付ける際のブラケット５０の組み付け性を向上させることができる。また、ブラケット５０を組み付ける際に、端子本体２０に対するブラケット５０の前後の傾きが抑制されて、ポスト嵌合部２７の嵌合孔２９を正規の状態に縮径させることができるから、バッテリ端子１０とバッテリポストＰとの接続信頼性を確保できる。
【００４９】
また、本実施形態によると、ブラケット５０の幅方向両端部に一対の姿勢保持部５５を設けてブラケット５０が前後に傾くことを抑制しているから、例えば、ブラケットの一端部にのみ姿勢保持部が設けられている場合に比べて、ブラケット５０の前後の傾きをさらに抑制することができる。
また、端子本体２０にブラケット５０を組み付ける際に、姿勢保持部５５をガイド凹部３６に嵌合させるだけで、連結板４０もしくは上側受部３２と姿勢保持部５５とを容易に近接して配置することができるから、例えば、端子本体にブラケットを組み付けた後にブラケットが不正な姿勢となることを抑制する姿勢保持部をセットする場合に比べて、組み付け工数の増加や姿勢保持部のセットし忘れなどがなく、ブラケット５０が前後方向に傾くことを確実に抑制することができる。
【００５０】
＜他の実施形態＞
本明細書で開示される技術は上記記述及び図面によって説明した実施形態に限定されるものではなく、例えば次のような種々の態様も含まれる。
（１）上記実施形態では、姿勢保持部５５を断面正方形状の四角柱に構成した。しかしながら、これに限らず、姿勢保持部を断面幅広の矩形状の四角柱に構成してもよい。
（２）上記実施形態では、上側平板部３０および下側平板部３３との間に締結ナット６５を配し、この締結ナット６５に対してブラケット５０に組み付けられた締結ボルト６１を螺合させて締め込む構成とした。しかしながら、これに限らず、上側平板部および下側平板部との間に締結ボルトの頭部を配して、頭部から上方に向かって延びる軸部にブラケットと締結ナットとを上方から組み付ける構成にしてもよい。
（３）上記実施形態では、締結ナット６５として四角ナットを用いた構成とした。しかしながら、これに限らず、連結板に接触可能な前側面を有している多角形ナットを用いる構成にしてもよい。
【符号の説明】
【００５１】
１０：バッテリ端子
２０：端子本体
２１：対向板
２７：ポスト嵌合部
２８：被押圧部
３６：ガイド凹部
４０：連結板
５０：ブラケット（締付部材）
５１Ａ：ボルト挿通孔
５５：姿勢保持部
６０：倍力機構
６１：締結ボルト（締結部材）
６５：締結ナット（被締結部材）
Ｐ：バッテリポスト
Ｓ：隙間
【図１】
2015230833.tif 000003
【図２】
2015230833.tif 000004
【図３】
2015230833.tif 000005
【図４】
2015230833.tif 000006
【図５】
2015230833.tif 000007
【図６】
2015230833.tif 000008
【図７】
2015230833.tif 000009
【図８】
2015230833.tif 000010
【図９】
2015230833.tif 000011
【図１０】
2015230833.tif 000012
【図１１】
2015230833.tif 000013
【図１２】
2015230833.tif 000014
【図１３】
2015230833.tif 000015
【図１４】
2015230833.tif 000016
【図１５】
2015230833.tif 000017
【図１６】
2015230833.tif 000018